(57)【要約】【課題】無線基地局等のアクセスノードと基幹システムとの通信の確実性を向上させる。【解決手段】ｅＮＢ１０−１は、当該ｅＮＢ１０−１とＭＭＥ２０２との間のＳ１インタフェース＃１が喪失して、当該Ｓ１インタフェース＃１を介して通信を行うことができなくなった場合には、ｅＮＢ１０−２等の他のｅＮＢとの間に、Ｘ２インタフェースにより構成されるトンネリング経路を設定する。更に、ｅＮＢ１０−１は、ＭＭＥ２０２宛の伝送用のデータに対し、カプセル化を行い、カプセル化データをトンネリング経路に送信する。【選択図】図１
2012114754.tif 000002
【特許請求の範囲】
【請求項１】
アクセスノードと基幹システムとの間の通信経路と、アクセスノード間の通信経路とを設定可能な通信システムであって、
前記通信システムは、
第１のアクセスノードと前記基幹システムとの間の第１の通信経路に障害が発生した場合に、前記第１のアクセスノードと第２のアクセスノードとの間の第２の通信経路を設定し、
伝送用のデータに対して、前記第２の通信経路と、前記第２のアクセスノードと前記基幹システムとの間の第３の通信経路とを伝送させるためのカプセル化を行う通信システム。
【請求項２】
基幹システムとの間と、他の無線基地局との間とに通信経路を設定可能な無線基地局であって、
第１のアクセスノードと前記基幹システムとの間の第１の通信経路に障害が発生した場合に、前記第１のアクセスノードと第２のアクセスノードとの間の第２の通信経路を設定し、
伝送用のデータに対して、前記第２の通信経路と、前記第２のアクセスノードと前記基幹システムとの間の第３の通信経路とを伝送させるためのカプセル化を行う無線基地局。
【請求項３】
前記無線基地局は、前記無線基地局から前記基幹システムまでの間の通信経路上に存在するノードの数に基づいて、前記第２の通信経路を設定する請求項２に記載の無線基地局。
【請求項４】
前記無線基地局は、前記無線基地局から前記基幹システムまでの間の通信経路上に存在するノードの数の情報を受信する請求項３に記載の無線基地局。
【請求項５】
前記無線基地局は、前記無線基地局から前記基幹システムまでの間の通信経路上に存在するノードの負荷に基づいて、前記第２の通信経路を設定する請求項２に記載の無線基地局。
【請求項６】
前記無線基地局は、前記無線基地局から前記基幹システムまでの間の通信経路上に存在するノードの負荷の情報を受信する請求項５に記載の無線基地局。
【請求項７】
前記無線基地局は、前記無線基地局から前記基幹システムまでの間の通信経路の負荷に基づいて、前記第２の通信経路を設定する請求項２に記載の無線基地局。
【請求項８】
前記無線基地局は、前記無線基地局から前記基幹システムまでの間の通信経路の負荷の情報を受信する請求項７に記載の無線基地局。
【請求項９】
アクセスノードと基幹システムとの間の通信経路と、アクセスノード間の通信経路とを設定可能な通信システムにおける通信制御方法であって、
前記通信システムが、第１のアクセスノードと前記基幹システムとの間の第１の通信経路に障害が発生した場合に、前記第１のアクセスノードと第２のアクセスノードとの間の第２の通信経路を設定するステップと、
前記通信システムが、伝送用のデータに対して、前記第２の通信経路と、前記第２のアクセスノードと前記基幹システムとの間の第３の通信経路とを伝送させるためのカプセル化を行うステップと
を含む通信制御方法。
【発明の詳細な説明】
【技術分野】
【０００１】
本発明は、アクセスノードと基幹システムとの間の通信経路と、アクセスノード間の通信経路とを設定可能な通信システム、無線基地局、及び、通信制御方法に関する。
【背景技術】
【０００２】
３ＧＰＰ（Third Generation Partnership Project）において、現在、規格策定中のＬＴＥ（Long Term Evolution）に対応する通信システムでは、無線基地局ｅＮＢは、バックホールを介して、基幹システムを構成する上位のノードであるＭＭＥ（Mobile Management Entity）等に接続され、当該ＭＭＥ等との間で通信を行う。
【先行技術文献】
【非特許文献】
【０００３】
【非特許文献１】3GPP TS 36.300 V9.4.0 (2010-06)
【発明の概要】
【発明が解決しようとする課題】
【０００４】
しかしながら、バックホールに障害が発生し、無線基地局ｅＮＢがＭＭＥと通信を行うことができなくなった場合、代替手段が存在しない。
【０００５】
上記問題点に鑑み、本発明は、無線基地局等のアクセスノードと基幹システムとの通信の確実性を向上させた通信システム、無線基地局及び通信制御方法を提供することを目的とする。
【課題を解決するための手段】
【０００６】
上述した課題を解決するために、本発明は以下のような特徴を有している。
【０００７】
本発明の特徴は、アクセスノード（ｅＮＢ１０−１）と基幹システム（ＬＴＥインフラストラクチャ２００）との間の通信経路と、アクセスノード間の通信経路とを設定可能な通信システム（通信システム１）であって、前記通信システムは、第１のアクセスノードと前記基幹システムとの間の第１の通信経路（Ｓ１インタフェース＃１）に障害が発生した場合に、前記第１のアクセスノードと第２のアクセスノード（ｅＮＢ１０−２）との間の第２の通信経路（トンネリング経路）を設定し、伝送用のデータに対して、前記第２の通信経路と、前記第２のアクセスノードと前記基幹システムとの間の第３の通信経路（Ｓ１インタフェース＃２）とを伝送させるためのカプセル化を行うことを要旨とする。
【０００８】
このような通信システムは、第１のアクセスノードと基幹システムとが第１の通信経路を介して通信を行うことができなくなった場合には、第２のアクセスノードとの間に第２の通信経路を設定して、伝送用のデータに対し、第２の通信経路と、第２のアクセスノードと基幹システムとの間の第３の通信経路とを伝送させるためのカプセル化を行う。従って、第１のアクセスノードと基幹システムとの間の第１の通信経路に障害が発生した場合においても、第１のアクセスノードと基幹システムとの間の通信を維持できる。
【０００９】
本発明の特徴は、基幹システム（ＬＴＥインフラストラクチャ２００）との間と、他の無線基地局（ｅＮＢ１０−２、ｅＮＢ１０−３、ｅＮＢ１０−４）との間とに通信経路を設定可能な無線基地局（ｅＮＢ１０−１）であって、第１のアクセスノードと前記基幹システムとの間の第１の通信経路（Ｓ１インタフェース＃１）に障害が発生した場合に、前記第１のアクセスノードと第２のアクセスノード（ｅＮＢ１０−２）との間の第２の通信経路（トンネリング経路）を設定し、伝送用のデータに対して、前記第２の通信経路と、前記第２のアクセスノードと前記基幹システムとの間の第３の通信経路（Ｓ１インタフェース＃２）とを伝送させるためのカプセル化を行うことを要旨とする。
【００１０】
本発明の特徴は、前記無線基地局は、前記無線基地局から前記基幹システムまでの間の通信経路上に存在するノードの数に基づいて、前記第２の通信経路を設定することを要旨とする。
【００１１】
本発明の特徴は、前記無線基地局は、前記無線基地局から前記基幹システムまでの間の通信経路上に存在するノードの数の情報を受信することを要旨とする。
【００１２】
本発明の特徴は、前記無線基地局は、前記無線基地局から前記基幹システムまでの間の通信経路上に存在するノードの負荷に基づいて、前記第２の通信経路を設定することを要旨とする。
【００１３】
本発明の特徴は、前記無線基地局は、前記無線基地局から前記基幹システムまでの間の通信経路上に存在するノードの負荷の情報を受信することを要旨とする。
【００１４】
本発明の特徴は、前記無線基地局は、前記無線基地局から前記基幹システムまでの間の通信経路の負荷に基づいて、前記第２の通信経路を設定することを要旨とする。
【００１５】
本発明の特徴は、前記無線基地局は、前記無線基地局から前記基幹システムまでの間の通信経路の負荷の情報を受信することを要旨とする。
【００１６】
本発明の特徴は、アクセスノードと基幹システムとの間の通信経路と、アクセスノード間の通信経路とを設定可能な通信システムにおける通信制御方法であって、前記通信システムが、第１のアクセスノードと前記基幹システムとの間の第１の通信経路に障害が発生した場合に、前記第１のアクセスノードと第２のアクセスノードとの間の第２の通信経路を設定するステップと、前記通信システムが、伝送用のデータに対して、前記第２の通信経路と、前記第２のアクセスノードと前記基幹システムとの間の第３の通信経路とを伝送させるためのカプセル化を行うステップとを含むことを要旨とする。
【発明の効果】
【００１７】
本発明によれば、無線基地局等のアクセスノードと基幹システムとの間の通信の確実性を向上できる。
【図面の簡単な説明】
【００１８】
【図１】本発明の実施形態に係る通信システムの全体概略構成図である。
【図２】本発明の実施形態に係るｅＮＢの構成図である。
【図３】Ｃｅｌｌ  Ｉｎｆｏｒｍａｔｉｏｎ  Ｒｅｑｕｅｓｔメッセージのフォーマットを示す図である。
【図４】Ｃｅｌｌ  Ｉｎｆｏｒｍａｔｉｏｎ  Ｒｅｓｐｏｎｓｅメッセージのフォーマットを示す図である。
【図５】Ｒｅｓｏｕｒｃｅ  Ｓｔａｔｕｓ  Ｒｅｑｕｅｓｔメッセージのフォーマットを示す図である。
【図６】Ｒｅｓｏｕｒｃｅ  Ｓｔａｔｕｓ  Ｒｅｓｐｏｎｓｅメッセージのフォーマットを示す図である。
【図７】Ｔｕｎｎｅｌｉｎｇ  Ｓ１  Ｓｅｔｕｐ  Ｒｅｑｕｅｓｔメッセージのフォーマットを示す図である。
【図８】Ｔｕｎｎｅｌｉｎｇ  Ｓ１  Ｓｅｔｕｐ  Ｒｅｓｐｏｎｓｅメッセージのフォーマットを示す図である。
【図９】本発明の実施形態に係る通信システムの第１の動作を示すシーケンス図である。
【図１０】本発明の実施形態に係る通信システムの第２の動作を示すシーケンス図である。
【発明を実施するための形態】
【００１９】
次に、図面を参照して、本発明の実施形態を説明する。具体的には、通信システムの概略構成、ＬＴＥ基地局（ｅＮＢ）の構成、通信システムの動作、作用・効果、その他の実施形態について説明する。以下の実施形態における図面の記載において、同一又は類似の部分には同一又は類似の符号を付している。
【００２０】
（１）通信システムの概略構成
通信システムは、アクセスノードと基幹システムとの間の通信経路と、アクセスノード間の通信経路とを設定可能な通信システムであって、第１のアクセスノードと前記基幹システムとの間の第１の通信経路に障害が発生した場合に、前記第１のアクセスノードと第２のアクセスノードとの間の第２の通信経路を設定し、伝送用のデータに対して、前記第２の通信経路と、前記第２のアクセスノードと前記基幹システムとの間の第３の通信経路とを伝送させるためのカプセル化を行う。
【００２１】
図１は、本実施形態に係る通信システムの概略構成図である。本実施形態では、通信システム１は、ＬＴＥ技術を用いて構成されている。図１に示す通信システム１は、無線基地局であるＬＴＥ基地局（ｅＮＢ）１０−１、ｅＮＢ１０−２、ｅＮＢ１０−３と、基幹システムであるＬＴＥインフラストラクチャ２００とにより構成される。
【００２２】
ｅＮＢ１０−１は、アンテナタワー１０８−１を有する。同様に、ｅＮＢ１０−２は、アンテナタワー１０８−２を有し、ｅＮＢ１０−３は、アンテナタワー１０８−３を有し、ｅＮＢ１０−４は、アンテナタワー１０８−４を有する。
【００２３】
ＬＴＥインフラストラクチャ２００は、ＭＭＥ（Mobile Management Entity）２０２、ＰＣＲＦ（Policy and Charging Rules Function）２０４、Ｓ−ＧＷ（Serving Gateway）２０６、ＰＤＮ−ＧＷ（Public Data Network）２０８を含む。
【００２４】
ｅＮＢ１０−１乃至ｅＮＢ１０−４は、自局が形成するセル内の図示しない無線端末（ＵＥ）との間で、無線通信区間を介して無線通信を行うことができる。ＬＴＥにおいて、ｅＮＢとＵＥとの間の通信方式は、Ｅ−ＵＴＲＡＮ（Evolved UMTS Terrestrial Radio Access Network）と称される。
【００２５】
通信システム１において、ｅＮＢ１０−１とＬＴＥインフラストラクチャ２００との間には、トランスポート層の論理的な伝送路であるＳ１インタフェース＃１が設定可能である。また、ｅＮＢ１０−２とＬＴＥインフラストラクチャ２００との間には、Ｓ１インタフェース＃２が、ｅＮＢ１０−３とＬＴＥインフラストラクチャ２００との間には、Ｓ１インタフェース＃３が、ｅＮＢ１０−４とＬＴＥインフラストラクチャ２００との間には、Ｓ１インタフェース＃４が、それぞれ設定可能である。
【００２６】
通信システム１において、ｅＮＢ１０−１乃至ｅＮＢ１０−４の相互間には、トランスポート層の論理的な伝送路であるＸ２インタフェースが設定可能である。
【００２７】
（２）ｅＮＢの構成
無線基地局は、基幹システムとの間と、他の無線基地局との間とに通信経路を設定可能な無線基地局であって、第１のアクセスノードと前記基幹システムとの間の第１の通信経路に障害が発生した場合に、前記第１のアクセスノードと第２のアクセスノードとの間の第２の通信経路を設定し、伝送用のデータに対して、前記第２の通信経路と、前記第２のアクセスノードと前記基幹システムとの間の第３の通信経路とを伝送させるためのカプセル化を行う。
【００２８】
図２は、ｅＮＢ１０−１の構成を示す図である。図２に示すｅＮＢ１０−１は、制御部１０２、記憶部１０３、Ｉ／Ｆ部１０４、無線通信部１０６、アンテナタワー１０８を含む。なお、ｅＮＢ１０−２、ｅＮＢ１０−３及びｅＮＢ１０−４も、ｅＮＢ１０−１と同様の構成を有する。
【００２９】
制御部１０２は、例えばＣＰＵ（Central Processing Unit）やＤＳＰ（Digital Signal Processor）を用いて構成され、ｅＮＢ１０−１が具備する各種機能を制御する。記憶部１０３は、例えばメモリによって構成され、ｅＮＢ１０−１における制御などに用いられる各種情報を記憶する。
【００３０】
Ｉ／Ｆ部１０４は、ＬＴＥインフラストラクチャ２００との間の図示しないバックホールに接続されている。Ｉ／Ｆ部１０４は、ＬＴＥインフラストラクチャ２００、ｅＮＢ１０−２、ｅＮＢ１０−３及びｅＮＢ１０−４との間でデータの送信及び受信を行う。
【００３１】
無線通信部１０６は、ＲＦ回路、ベースバンド回路等を含み、変調及び復調、符号化及び復号等を行い、アンテナタワー１０８−１を介して、ＵＥとの間で、無線信号の送信及び受信を行う。
【００３２】
制御部１０２は、無線側（Ｕｕ−ＩＦ）プロトコルの機能と、Ｓ１インタフェース側（Ｓ１−ＭＭＥ−ＩＦ）プロトコルの機能とを実現する。
【００３３】
制御部１０２は、ＬＴＥインフラストラクチャ２００内のＭＭＥ２０２との間のバックホールに、Ｓ１インタフェース＃１を確立する。
【００３４】
更に、制御部１０２は、ｅＮＢ１０−２との間に、Ｘ２インタフェース＃１を確立する。
【００３５】
具体的には、制御部１０２は、ｅＮＢ１０−２に対して、Ｘ２インタフェースの確立を要求するためのメッセージである、Ｓｅｔｕｐ  Ｒｅｑｕｅｓｔメッセージを送信し、その後、ｅＮＢ１０−２からの応答であるＳｅｔｕｐ  Ｒｅｓｐｏｎｓｅメッセージを受信する。あるいは、制御部１０２は、ｅＮＢ１０−２からのＳｅｔｕｐ  Ｒｅｑｕｅｓｔメッセージを送信し、その後、ｅＮＢ１０−２へＳｅｔｕｐ  Ｒｅｓｐｏｎｓｅメッセージを送信する。このようなＳｅｔｕｐ  Ｒｅｑｕｅｓｔメッセージ及びＳｅｔｕｐ  Ｒｅｓｐｏｎｓｅメッセージの送信及び受信を経て、ｅＮＢ１０−１とｅＮＢ１０−２との間にＸ２インタフェース＃１が確立される。
【００３６】
同様に、制御部１０２は、ｅＮＢ１０−３に対して、Ｓｅｔｕｐ  Ｒｅｑｕｅｓｔメッセージを送信し、その後、ｅＮＢ１０−３からのＳｅｔｕｐ  Ｒｅｓｐｏｎｓｅメッセージを受信する。あるいは、制御部１０２は、ｅＮＢ１０−３からのＳｅｔｕｐ  Ｒｅｑｕｅｓｔメッセージを送信し、その後、ｅＮＢ１０−３へＳｅｔｕｐ  Ｒｅｓｐｏｎｓｅメッセージを送信する。このようなＳｅｔｕｐ  Ｒｅｑｕｅｓｔメッセージ及びＳｅｔｕｐ  Ｒｅｓｐｏｎｓｅメッセージの送信及び受信を経て、ｅＮＢ１０−１とｅＮＢ１０−３との間にＸ２インタフェース＃２が確立される。
【００３７】
同様に、制御部１０２は、ｅＮＢ１０−４に対して、Ｓｅｔｕｐ  Ｒｅｑｕｅｓｔメッセージを送信し、その後、ｅＮＢ１０−４からのＳｅｔｕｐ  Ｒｅｓｐｏｎｓｅメッセージを受信する。あるいは、制御部１０２は、ｅＮＢ１０−４からのＳｅｔｕｐ  Ｒｅｑｕｅｓｔメッセージを送信し、その後、ｅＮＢ１０−４へＳｅｔｕｐ  Ｒｅｓｐｏｎｓｅメッセージを送信する。このようなＳｅｔｕｐ  Ｒｅｑｕｅｓｔメッセージ及びＳｅｔｕｐ  Ｒｅｓｐｏｎｓｅメッセージの送信及び受信を経て、ｅＮＢ１０−１とｅＮＢ１０−４との間にＸ２インタフェース＃３が確立される。
【００３８】
Ｓ１インタフェース＃１と、Ｘ２インタフェース＃１乃至Ｘ２インタフェース＃４の確立後、制御部１０２は、ＵＥからのＬＴＥインフラストラクチャ２００内のＭＭＥ２０２宛の上りデータを、アンテナタワー１０８及び無線通信部１０６を介して受信する。受信される上りデータは、Ｕｕ−ＩＦプロトコルに対応した構成を有する。次に、制御部１０２は、上りデータについて、Ｕｕ−ＩＦプロトコルからＳ１−ＭＭＥ−ＩＦプロトコルへの変換を行い、新たな上りデータを生成する。更に、制御部１０２は、新たな上りデータを、Ｉ／Ｆ部１０４と、Ｓ１インタフェース＃１とを介して、ＭＭＥ２０２へ送信する（Ｓ１通信）。
【００３９】
また、制御部１０２は、ＭＭＥ２０２からのＵＥ宛の下りデータを、Ｓ１インタフェース＃１及びＩ／Ｆ部１０４を介して受信する（Ｓ１通信）。受信される下りデータは、Ｓ１−ＭＭＥ−ＩＦプロトコルに対応した構成を有する。次に、制御部１０２は、下りデータについて、Ｓ１−ＭＭＥ−ＩＦプロトコルからＵｕ−ＩＦプロトコルへの変換を行い、新たな下りデータを生成する。更に、制御部１０２は、新たな下りデータを、無線通信部１０６及びアンテナタワー１０８を介して、ＵＥへ送信する。
【００４０】
以下、制御部１０２による第１の処理乃至第３の処理を説明する。
【００４１】
（第１の処理）
無線基地局は、前記無線基地局から前記基幹システムまでの間の通信経路上に存在するノードの数に基づいて、前記第２の通信経路を設定する。また、無線基地局は、前記無線基地局から前記基幹システムまでの間の通信経路上に存在するノードの数の情報を受信する。
【００４２】
ｅＮＢ１０−１とＬＴＥインフラストラクチャ２００との間のバックホールに障害が発生し、Ｓ１インタフェース＃１が喪失した場合における、ｅＮＢ１０−１内の制御部１０２の処理を説明する。
【００４３】
ｅＮＢ１０−１内の制御部１０２は、Ｓ１インタフェース＃１の喪失を検知する。次に、制御部１０２は、ｅＮＢ１０−２、ｅＮＢ１０−２及びｅＮＢ１０−３に対して、Ｘ２インタフェースを介して、Ｃｅｌｌ  Ｉｎｆｏｒｍａｔｉｏｎ  Ｒｅｑｕｅｓｔメッセージを送信する。Ｃｅｌｌ  Ｉｎｆｏｒｍａｔｉｏｎ  Ｒｅｑｕｅｓｔメッセージは、送信先のｅＮＢにおけるＳ１インタフェース接続の有無、当該送信先のｅＮＢにおけるＸ２インタフェースを介するＳ１インタフェース接続（Ｘ２トンネリング接続）の有無、Ｘ２トンネリング接続の場合における中継するｅＮＢの数（トンネリング数）を問い合わせるためのメッセージである。
【００４４】
図３は、Ｃｅｌｌ  Ｉｎｆｏｒｍａｔｉｏｎ  Ｒｅｑｕｅｓｔメッセージのフォーマットを示す図である。Ｃｅｌｌ  Ｉｎｆｏｒｍａｔｉｏｎ  Ｒｅｑｕｅｓｔメッセージは、Ｍｅｓｓａｇｅ  Ｔｙｐｅ、ｅＮＢ１  ＩＤ、ｅＮＢ２  ＩＤを含んで構成される。Ｍｅｓｓａｇｅ  Ｔｙｐｅは、当該メッセージがＣｅｌｌ  Ｉｎｆｏｒｍａｔｉｏｎ  Ｒｅｑｕｅｓｔメッセージであることを示す情報である。ｅＮＢ１  ＩＤは送信元のｅＮＢのＩＤ、ｅＮＢ２  ＩＤは送信先のｅＮＢのＩＤである。
【００４５】
Ｃｅｌｌ  Ｉｎｆｏｒｍａｔｉｏｎ  Ｒｅｑｕｅｓｔメッセージの送信後、制御部１０２は、ｅＮＢ１０−２、ｅＮＢ１０−３及びｅＮＢ１０−３からのＣｅｌｌ  Ｉｎｆｏｒｍａｔｉｏｎ  Ｒｅｓｐｏｎｓｅメッセージを、Ｘ２インタフェースを介して受信する。Ｃｅｌｌ  Ｉｎｆｏｒｍａｔｉｏｎ  Ｒｅｓｐｏｎｓｅメッセージは、Ｃｅｌｌ  Ｉｎｆｏｒｍａｔｉｏｎ  Ｒｅｑｕｅｓｔメッセージの応答である。
【００４６】
図４は、Ｃｅｌｌ  Ｉｎｆｏｒｍａｔｉｏｎ  Ｒｅｓｐｏｎｓｅメッセージのフォーマットを示す図である。Ｃｅｌｌ  Ｉｎｆｏｒｍａｔｉｏｎ  Ｒｅｓｐｏｎｓｅメッセージは、Ｍｅｓｓａｇｅ  Ｔｙｐｅ、ｅＮＢ１  ＩＤ、ｅＮＢ２  ＩＤ、Ｒｅａｃｈ  ｔｏ  ＭＭＥ  ｎｕｍを含んで構成される。Ｍｅｓｓａｇｅ  Ｔｙｐｅは、当該メッセージがＣｅｌｌ  Ｉｎｆｏｒｍａｔｉｏｎ  Ｒｅｓｐｏｎｓｅメッセージであることを示す情報である。ｅＮＢ１  ＩＤは送信元のｅＮＢのＩＤ、ｅＮＢ２  ＩＤは送信先のｅＮＢのＩＤである。Ｒｅａｃｈ  ｔｏ  ＭＭＥ  ｎｕｍは、０以上の整数値である。Ｒｅａｃｈ  ｔｏ  ＭＭＥ  ｎｕｍ「０」は、送信元のｅＮＢが、Ｓ１インタフェースの接続を有さず、且つ、送信元のｅＮＢからＸ２インタフェースを介した他のｅＮＢも、Ｓ１インタフェースの接続を有しない状態を示す。Ｒｅａｃｈ  ｔｏ  ＭＭＥ  ｎｕｍ「１」は、送信元のｅＮＢが、Ｓ１インタフェースの接続を有することを示す。Ｒｅａｃｈ  ｔｏ  ＭＭＥ  ｎｕｍが２以上の「ｎ」は、送信元のｅＮＢが、Ｓ１インタフェースの接続を有さず、且つ、送信先のｅＮＢからｎ個のＸ２インタフェースを介した他のｅＮＢが、Ｓ１インタフェースの接続を有する状態を示す。
【００４７】
ｅＮＢ１０−２、ｅＮＢ１０−３及びｅＮＢ１０−４からのＣｅｌｌ  Ｉｎｆｏｒｍａｔｉｏｎ  Ｒｅｓｐｏｎｓｅメッセージの受信後、制御部１０２は、各Ｃｅｌｌ  Ｉｎｆｏｒｍａｔｉｏｎ  Ｒｅｓｐｏｎｓｅメッセージのうち、Ｒｅａｃｈ  ｔｏ  ＭＭＥ  ｎｕｍが１以上の最も少ないＣｅｌｌ  Ｉｎｆｏｒｍａｔｉｏｎ  Ｒｅｓｐｏｎｓｅメッセージの送信元のｅＮＢを決定する。なお、何れのＣｅｌｌ  Ｉｎｆｏｒｍａｔｉｏｎ  Ｒｅｓｐｏｎｓｅメッセージにおいても、Ｒｅａｃｈ  ｔｏ  ＭＭＥ  ｎｕｍが予め定められた所定値以上である場合には、制御部１０２は、ｅＮＢを決定しない。
【００４８】
無線基地局は、前記無線基地局から前記基幹システムまでの間の通信経路上に存在するノードの負荷に基づいて、前記第２の通信経路を設定する。また、無線基地局は、前記無線基地局から前記基幹システムまでの間の通信経路上に存在するノードの負荷の情報を受信する。また、無線基地局は、前記無線基地局から前記基幹システムまでの間の通信経路の負荷に基づいて、前記第２の通信経路を設定する。また、無線基地局は、前記無線基地局から前記基幹システムまでの間の通信経路の負荷の情報を受信する。
【００４９】
制御部１０２は、ｅＮＢ１０−２、ｅＮＢ１０−２及びｅＮＢ１０−３に対して、Ｘ２インタフェースを介して、Ｒｅｓｏｕｒｃｅ  Ｓｔａｔｕｓ  Ｒｅｑｕｅｓｔメッセージを送信する。Ｒｅｓｏｕｒｃｅ  Ｓｔａｔｕｓ  Ｒｅｑｕｅｓｔメッセージは、送信先のｅＮＢにおける負荷、当該送信先のｅＮＢが接続する通信経路の負荷を問い合わせるためのメッセージである。なお、Ｒｅｓｏｕｒｃｅ  Ｓｔａｔｕｓ  Ｒｅｑｕｅｓｔメッセージの送信は任意である。
【００５０】
図５は、Ｒｅｓｏｕｒｃｅ  Ｓｔａｔｕｓ  Ｒｅｑｕｅｓｔメッセージのフォーマットを示す図である。Ｒｅｓｏｕｒｃｅ  Ｓｔａｔｕｓ  Ｒｅｑｕｅｓｔメッセージは、Ｍｅｓｓａｇｅ  Ｔｙｐｅ、ｅＮＢ１  ＩＤ、ｅＮＢ２  ＩＤ、Ｒｅｇｉｓｔｒａｔｉｏｎ  Ｒｅｑｕｅｓｔ、Ｒｅｐｏｒｔ  Ｃｈａｒａｃｔｅｒｉｓｔｉｃｓ、Ｃｅｌｌ  Ｔｏ  Ｒｅｐｏｒｔ、＞Ｃｅｌｌ  ＩＤ、Ｒｅｐｏｒｔｉｎｇ  Ｐｅｒｉｏｄｉｃｉｔｙを含んで構成される。Ｍｅｓｓａｇｅ  Ｔｙｐｅは、当該メッセージがＲｅｓｏｕｒｃｅ  Ｓｔａｔｕｓ  Ｒｅｑｕｅｓｔメッセージであることを示す情報である。ｅＮＢ１  ＩＤは送信元のｅＮＢのＩＤ、ｅＮＢ２  ＩＤは送信先のｅＮＢのＩＤである。
【００５１】
Ｒｅｓｏｕｒｃｅ  Ｓｔａｔｕｓ  Ｒｅｑｕｅｓｔメッセージの送信後、制御部１０２は、ｅＮＢ１０−３及びｅＮＢ１０−３からのＲｅｓｏｕｒｃｅ  Ｓｔａｔｕｓ  Ｒｅｓｐｏｎｓｅメッセージを、Ｘ２インタフェースを介して受信する。Ｒｅｓｏｕｒｃｅ  Ｓｔａｔｕｓ  Ｒｅｓｐｏｎｓｅメッセージは、Ｒｅｓｏｕｒｃｅ  Ｓｔａｔｕｓ  Ｒｅｑｕｅｓｔメッセージの応答である。
【００５２】
図６は、Ｒｅｓｏｕｒｃｅ  Ｓｔａｔｕｓ  Ｒｅｓｐｏｎｓｅメッセージのフォーマットを示す図である。Ｒｅｓｏｕｒｃｅ  Ｓｔａｔｕｓ  Ｒｅｓｐｏｎｓｅメッセージは、Ｍｅｓｓａｇｅ  Ｔｙｐｅ、ｅＮＢ１  ＩＤ、ｅＮＢ２  ＩＤ、Ｃｅｌｌ  Ｍｅａｓｕｒｅｍｅｎｔ  Ｒｅｓｕｌｔ、＞Ｃｅｌｌ  ＩＤ、＞Ｈａｒｄｗａｒｅ  Ｌｏａｄ  Ｉｎｄｉｃａｔｏｒ、＞Ｓ１  ＴＮＬ  Ｌｏａｄ  Ｉｎｄｉｃａｔｏｒ、＞Ｒａｄｉｏ  Ｒｅｓｏｕｒｓｅ  Ｓｔａｔｕｓ、＞Ｃｏｍｐｏｓｉｔｅ  Ａｖａｉｌａｂｌｅ  Ｃａｐａｓｉｔｙ  Ｇｒｏｕｐを含んで構成される。Ｍｅｓｓａｇｅ  Ｔｙｐｅは、当該メッセージがＲｅｓｏｕｒｃｅ  Ｓｔａｔｕｓ  Ｒｅｓｐｏｎｓｅメッセージであることを示す情報である。ｅＮＢ１  ＩＤは送信元のｅＮＢのＩＤ、ｅＮＢ２  ＩＤは送信先のｅＮＢのＩＤである。＞Ｈａｒｄｗａｒｅ  Ｌｏａｄ  Ｉｎｄｉｃａｔｏｒは、送信元のｅＮＢの上り通信及び下り通信におけるハードウェアの負荷量を示す情報である。＞Ｓ１  ＴＮＬ  Ｌｏａｄ  Ｉｎｄｉｃａｔｏｒは、送信元のｅＮＢが接続するＳ１インタフェースの負荷状態を示す情報である。例えば、ＬｏｗＬｏａｄ、ＭｅｄｉｕｍＬｏａｄ、ＨｉｇｈＬｏａｄ、ＯｖｅｒＬｏａｄの４段階の情報である。＞Ｒａｄｉｏ  Ｒｅｓｏｕｒｓｅ  Ｓｔａｔｕｓは、送信元のｅＮＢにおける無線リソースの使用状況を示す情報である。＞Ｃｏｍｐｏｓｉｔｅ  Ａｖａｉｌａｂｌｅ  Ｃａｐａｓｉｔｙ  Ｇｒｏｕｐは、送信元のｅＮＢにおける上りリンク及び下りリンクの総合的なリソースの余裕度を示す情報である。
【００５３】
制御部１０２は、ｅＮＢ１０−２、ｅＮＢ１０−２及びｅＮＢ１０−３に対して、Ｒｅｓｏｕｒｃｅ  Ｓｔａｔｕｓ  Ｒｅｑｕｅｓｔメッセージを送信し、ｅＮＢ１０−２、ｅＮＢ１０−２及びｅＮＢ１０−３からのＲｅｓｏｕｒｃｅ  Ｓｔａｔｕｓ  Ｒｅｓｐｏｎｓｅメッセージを受信した場合には、当該ｅＮＢ１０−２及びｅＮＢ１０−３からのＲｅｓｏｕｒｃｅ  Ｓｔａｔｕｓ  Ｒｅｓｐｏｎｓｅメッセージと、ｅＮＢ１０−３及びｅＮＢ１０−４からのＣｅｌｌ  Ｉｎｆｏｒｍａｔｉｏｎ  Ｒｅｓｐｏｎｓｅメッセージとに基づいて、ｅＮＢ１０−２乃至ｅＮＢ１０−４の中から１のｅＮＢを決定する。具体的には、制御部１０２は、上述と同様、各Ｃｅｌｌ  Ｉｎｆｏｒｍａｔｉｏｎ  Ｒｅｓｐｏｎｓｅメッセージのうち、Ｒｅａｃｈ  ｔｏ  ＭＭＥ  ｎｕｍが所定値以下であるＣｅｌｌ  Ｉｎｆｏｒｍａｔｉｏｎ  Ｒｅｓｐｏｎｓｅメッセージの送信元のｅＮＢを抽出する。更に、制御部１０２は、抽出したｅＮＢのうち、当該ｅＮＢから送信されたＲｅｓｏｕｒｃｅ  Ｓｔａｔｕｓ  Ｒｅｓｐｏｎｓｅメッセージに含まれる、＞Ｈａｒｄｗａｒｅ  Ｌｏａｄ  Ｉｎｄｉｃａｔｏｒ、＞Ｓ１  ＴＮＬ  Ｌｏａｄ  Ｉｎｄｉｃａｔｏｒ、＞Ｒａｄｉｏ  Ｒｅｓｏｕｒｓｅ  Ｓｔａｔｕｓ、及び、＞Ｃｏｍｐｏｓｉｔｅ  Ａｖａｉｌａｂｌｅ  Ｃａｐａｓｉｔｙ  Ｇｒｏｕｐによって示される総合的な負荷が最も低いｅＮＢを決定する。
【００５４】
更に、制御部１０２は、決定したｅＮＢ（トンネリング設定先ｅＮＢ）との間に、Ｘ２インタフェースにより構成されるトンネリング経路を設定する。このトンネリング経路は、送信元がｅＮＢ１０−１、送信先がＭＭＥ２０２である伝送用データをカプセル化したデータ（カプセル化データ）を伝送するためのＸ２インタフェースからなる通信経路である。
【００５５】
トンネリング経路の設定後、制御部１０２は、設定先ｅＮＢに対して、Ｘ２インタフェースを介して、Ｔｕｎｎｅｌｉｎｇ  Ｓ１  Ｓｅｔｕｐ  Ｒｅｑｕｅｓｔメッセージを送信する。
【００５６】
図７は、Ｔｕｎｎｅｌｉｎｇ  Ｓ１  Ｓｅｔｕｐ  Ｒｅｑｕｅｓｔメッセージのフォーマットを示す図である。Ｔｕｎｎｅｌｉｎｇ  Ｓ１  Ｓｅｔｕｐ  Ｒｅｑｕｅｓｔメッセージは、Ｍｅｓｓａｇｅ  Ｔｙｐｅ、Ｎｕｍ  ｏｆ  ｅＮＢ  ｔｕｎｎｅｒｉｎｇ、ｅＮＢ１  ＩＤ、ｅＮＢ２  ＩＤ、ｉｄ−Ｇｌｏｂａｌ−ｅＮＢ−ＩＤ、ｉｄ−ｅＮＢ−ｎａｍｅ、ｉｄ−ＳｕｐｐｏｒｔｅｄＴＡｓ、ｉｄ−ＤｅｆａｕｌｔＰａｇｉｎｇＤＲＸ、ｉｄ−ＣＳＧ−ＩｄＬｉｓｔ等を含んで構成される。Ｍｅｓｓａｇｅ  Ｔｙｐｅは、当該メッセージがＴｕｎｎｅｌｉｎｇ  Ｓ１  Ｓｅｔｕｐ  Ｒｅｑｕｅｓｔメッセージであることを示す情報である。Ｎｕｍ  ｏｆ  ｅＮＢ  ｔｕｎｎｅｒｉｎｇは、送信元のｅＮＢとＭＭＥ２０２との間の他のｅＮＢにおいて設定されるＳ１インタフェースの数を示す情報である、ｅＮＢ１  ＩＤは送信元のｅＮＢのＩＤ、ｅＮＢ２  ＩＤは送信先のｅＮＢのＩＤである。
【００５７】
Ｔｕｎｎｅｌｉｎｇ  Ｓ１  Ｓｅｔｕｐ  Ｒｅｑｕｅｓｔメッセージの送信後、制御部１０２は、設定先ｅＮＢからのＴｕｎｎｅｌｉｎｇ  Ｓ１  Ｓｅｔｕｐ  Ｒｅｓｐｏｎｓｅメッセージを、Ｘ２インタフェースを介して受信する。Ｔｕｎｎｅｌｉｎｇ  Ｓ１  Ｓｅｔｕｐ  Ｒｅｓｐｏｎｓｅメッセージは、Ｔｕｎｎｅｌｉｎｇ  Ｓ１  Ｓｅｔｕｐ  Ｒｅｑｕｅｓｔメッセージの送信先のｅＮＢからの応答である。
【００５８】
図８は、Ｔｕｎｎｅｌｉｎｇ  Ｓ１  Ｓｅｔｕｐ  Ｒｅｓｐｏｎｓｅメッセージのフォーマットを示す図である。Ｔｕｎｎｅｌｉｎｇ  Ｓ１  Ｓｅｔｕｐ  Ｒｅｓｐｏｎｓｅメッセージは、Ｍｅｓｓａｇｅ  Ｔｙｐｅ、Ｎｕｍ  ｏｆ  ｅＮＢ  ｔｕｎｎｅｒｉｎｇ、ｅＮＢ１  ＩＤ、ｅＮＢ２  ＩＤ、ｉｄ−ＭＭＥｎａｍｅ、ｉｄ−ＳｅｒｖｅｄＧＵＭＭＥＩｓ、ｉｄ−ｅｌａｔｉｖｅＭＭＥＣａｐａｃｉｔｙ、ｉｄ−ＣｒｉｔｉｃａｌｉｔｙＤｉａｇｎｏｓｔｉｃｓ等を含んで構成される。Ｍｅｓｓａｇｅ  Ｔｙｐｅは、当該メッセージがＴｕｎｎｅｌｉｎｇ  Ｓ１  Ｓｅｔｕｐ  Ｒｅｓｐｏｎｓｅメッセージであることを示す情報である。Ｎｕｍ  ｏｆ  ｅＮＢ  ｔｕｎｎｅｒｉｎｇは、送信元のｅＮＢとＭＭＥ２０２との間の他のｅＮＢにおいて設定されるＳ１インタフェースの数を示す情報である。ｅＮＢ１  ＩＤは送信元のｅＮＢのＩＤ、ｅＮＢ２  ＩＤは送信先のｅＮＢのＩＤを示す情報である。ｉｄ−ＭＭＥｎａｍｅは、ＭＭＥ２０２の名称を示す情報である。ｉｄ−ＳｅｒｖｅｄＧＵＭＭＥＩｓは、ＭＭＥ２０２のＧｌｏｂａｌ  Ｕｎｉｑｕｅ  ＩＤを示す情報である。ｉｄ−ｅｌａｔｉｖｅＭＭＥＣａｐａｃｉｔｙは、ＭＭＥ２０２の余裕度を示す情報である。ｉｄ−ＣｒｉｔｉｃａｌｉｔｙＤｉａｇｎｏｓｔｉｃｓは、メッセージエラー表示を示す情報である。
【００５９】
上述した処理によって、ｅＮＢ１０−１から他のｅＮＢを介するＭＭＥ２０２までのＸ２インタフェース及びＳ１インタフェースによる通信経路が設定される。
【００６０】
その後、制御部１０２は、送信元がｅＮＢ１０−１、送信先がＭＭＥ２０２である伝送用データに対して、送信元をｅＮＢ１０−１、送信先をトンネリング設定先ｅＮＢに設定したヘッダを付加することにより、カプセル化を行う。更に、制御部１０２は、カプセル化データを、Ｘ２インタフェースにより構成されるトンネリング経路を介して、トンネリング設定先ｅＮＢへ送信する。
【００６１】
（第２の処理）
ｅＮＢ１０−２乃至ｅＮＢ１０−３の何れかとＬＴＥインフラストラクチャ２００との間のバックホールに障害が発生し、Ｓ１インタフェース＃２乃至Ｓ１インタフェース＃４の何れかが喪失した場合における、ｅＮＢ１０−１内の制御部１０２の処理を説明する。
【００６２】
ｅＮＢ１０−１内の制御部１０２は、ｅＮＢ１０−２乃至ｅＮＢ１０−４の何れかからのＣｅｌｌ  Ｉｎｆｏｒｍａｔｉｏｎ  Ｒｅｑｕｅｓｔメッセージを、Ｘ２インタフェースを介して受信する。
【００６３】
更に、制御部１０２は、Ｃｅｌｌ  Ｉｎｆｏｒｍａｔｉｏｎ  Ｒｅｑｕｅｓｔメッセージに対する応答である、Ｃｅｌｌ  Ｉｎｆｏｒｍａｔｉｏｎ  Ｒｅｓｐｏｎｓｅメッセージを生成する。具体的には、制御部１０２は、ｅＮＢ１０−１がＳ１インタフェースの接続を有さず、且つ、ｅＮＢ１０−１からＸ２インタフェースを介した他のｅＮＢも、Ｓ１インタフェースの接続を有しない状態である場合には、Ｒｅａｃｈ  ｔｏ  ＭＭＥ  ｎｕｍに「０」を設定する。また、制御部１０２は、ｅＮＢ１０−１がＳ１インタフェースの接続を有する、換言すれば、Ｓ１インタフェース＃１が確立されている状態である場合には、Ｒｅａｃｈ  ｔｏ  ＭＭＥ  ｎｕｍに「１」を設定する。また、制御部１０２は、ｅＮＢ１０−１が、Ｓ１インタフェースの接続を有さず、且つ、ｅＮＢ１０−１からｎ（ｎ＞２）個のＸ２インタフェースを介した他のｅＮＢが、Ｓ１インタフェースの接続を有する状態である場合には、Ｒｅａｃｈ  ｔｏ  ＭＭＥ  ｎｕｍに「ｎ」を設定する。
【００６４】
更に、制御部１０２は、生成したＣｅｌｌ  Ｉｎｆｏｒｍａｔｉｏｎ  Ｒｅｓｐｏｎｓｅメッセージを、Ｘ２インタフェースを介して、Ｃｅｌｌ  Ｉｎｆｏｒｍａｔｉｏｎ  Ｒｅｑｕｅｓｔメッセージの送信元のｅＮＢへ送信する。
【００６５】
また、制御部１０２は、ｅＮＢ１０−２乃至ｅＮＢ１０−４の何れかからのＲｅｓｏｕｒｃｅ  Ｓｔａｔｕｓ  Ｒｅｑｕｅｓｔメッセージを、Ｘ２インタフェースを介して受信する。この場合、制御部１０２は、Ｒｅｓｏｕｒｃｅ  Ｓｔａｔｕｓ  Ｒｅｑｕｅｓｔメッセージの応答である、Ｒｅｓｏｕｒｃｅ  Ｓｔａｔｕｓ  Ｒｅｓｐｏｎｓｅメッセージを生成する。
【００６６】
更に、制御部１０２は、生成したＲｅｓｏｕｒｃｅ  Ｓｔａｔｕｓ  Ｒｅｓｐｏｎｓｅメッセージを、Ｘ２インタフェースを介して、Ｒｅｓｏｕｒｃｅ  Ｓｔａｔｕｓ  Ｒｅｑｕｅｓｔメッセージの送信元のｅＮＢへ送信する。
【００６７】
また、制御部１０２は、ｅＮＢ１０−２乃至ｅＮＢ１０−４の何れかからのＴｕｎｎｅｌｉｎｇ  Ｓ１  Ｓｅｔｕｐ  Ｒｅｑｕｅｓｔメッセージを受信する。
【００６８】
ｅＮＢ１０−１がＳ１インタフェースの接続を有する場合には、以下の処理が行われる。すなわち、制御部１０２は、Ｔｕｎｎｅｌｉｎｇ  Ｓ１  Ｓｅｔｕｐ  Ｒｅｓｐｏｎｓｅメッセージを生成する。更に、制御部１０２は、Ｔｕｎｎｅｌｉｎｇ  Ｓ１  Ｓｅｔｕｐ  Ｒｅｓｐｏｎｓｅメッセージを、Ｘ２インタフェースを介して、Ｔｕｎｎｅｌｉｎｇ  Ｓ１  Ｓｅｔｕｐ  Ｒｅｑｕｅｓｔメッセージの送信元のｅＮＢへ送信する。
【００６９】
その後、制御部１０２は、ｅＮＢ１０−２乃至ｅＮＢ１０−４の何れかからのデータを、Ｘ２インタフェースを介して受信する。このデータは、カプセル化されたデータである。制御部１０２は、カプセル化されたデータからヘッダを除去し、送信先がＭＭＥ２０２であるデータを取得する。更に、制御部１０２は、取得したデータを、Ｓ１インタフェース＃１を介して、ＭＭＥ２０２へ送信する。
【００７０】
一方、ｅＮＢ１０−１がＳ１インタフェースの接続を有しない場合には、以下の処理が行われる。すなわち、制御部１０２は、Ｔｕｎｎｅｌｉｎｇ  Ｓ１  Ｓｅｔｕｐ  Ｒｅｑｕｅｓｔメッセージを、Ｔｕｎｎｅｌｉｎｇ  Ｓ１  Ｓｅｔｕｐ  Ｒｅｑｕｅｓｔメッセージの送信元のｅＮＢ以外のｅＮＢに対して、Ｘ２インタフェースを介して送信する。ここで、制御部１０２は、他のｅＮＢからのＣｅｌｌ  Ｉｎｆｏｒｍａｔｉｏｎ  Ｒｅｓｐｏｎｓｅメッセージを受信している場合には、当該Ｃｅｌｌ  Ｉｎｆｏｒｍａｔｉｏｎ  Ｒｅｓｐｏｎｓｅメッセージのうち、Ｒｅａｃｈ  ｔｏ  ＭＭＥ  ｎｕｍが１以上の最も少ないＣｅｌｌ  Ｉｎｆｏｒｍａｔｉｏｎ  Ｒｅｓｐｏｎｓｅメッセージの送信元のｅＮＢを、Ｔｕｎｎｅｌｉｎｇ  Ｓ１  Ｓｅｔｕｐ  Ｒｅｑｕｅｓｔメッセージの送信先として決定する。
【００７１】
その後、制御部１０２は、Ｔｕｎｎｅｌｉｎｇ  Ｓ１  Ｓｅｔｕｐ  Ｒｅｑｕｅｓｔメッセージの送信元のｅＮＢ以外のｅＮＢからのＴｕｎｎｅｌｉｎｇ  Ｓ１  Ｓｅｔｕｐ  Ｒｅｓｐｏｎｓｅメッセージを、Ｘ２インタフェースを介して受信する。更に、制御部１０２は、Ｔｕｎｎｅｌｉｎｇ  Ｓ１  Ｓｅｔｕｐ  Ｒｅｑｕｅｓｔメッセージの送信元のｅＮＢに対して、Ｘ２インタフェースを介して、Ｔｕｎｎｅｌｉｎｇ  Ｓ１  Ｓｅｔｕｐ  Ｒｅｓｐｏｎｓｅメッセージを送信する。
【００７２】
その後、制御部１０２は、ｅＮＢ１０−２乃至ｅＮＢ１０−４の何れかからのデータを、Ｘ２インタフェースを介して受信する。このデータは、カプセル化されたデータである。制御部１０２は、カプセル化されたデータを、Ｘ２インタフェースにより構成されるトンネリング経路を介して、他のｅＮＢへ送信する。ここで、制御部１０２は、Ｔｕｎｎｅｌｉｎｇ  Ｓ１  Ｓｅｔｕｐ  Ｒｅｑｕｅｓｔメッセージの送信先として決定したｅＮＢに対して、カプセル化されたデータを送信する。
【００７３】
（３）通信システムの動作
図９は、通信システム１の第１の動作を示すシーケンス図である。
【００７４】
ステップＳ１０１乃至ステップＳ１０３において、ｅＮＢ１０−１、ｅＮＢ１０−２及びｅＮＢ１０−３は、ＭＭＥ２０２との間にＳ１インタフェースを確立する。
【００７５】
ステップＳ１０４乃至ステップＳ１０６において、ｅＮＢ１０−１、ｅＮＢ１０−２及びｅＮＢ１０−３は、相互にＳｅｔｕｐ  ＲｅｑｕｅｓｔメッセージとＳｅｔｕｐ  Ｒｅｓｐｏｎｓｅメッセージの送信及び受信を行う。これにより、ステップＳ１０７において、ｅＮＢ１０−１、ｅＮＢ１０−２及びｅＮＢ１０−３の相互間にＸ２インタフェースが確立される。
【００７６】
その後、ステップＳ１０８及びステップＳ１０９において、障害が発生し、ステップＳ１１０及びステップＳ１１１において、ｅＮＢ１０−１とＭＭＥ２０２との間のＳ１インタフェース＃１とｅＮＢ１０−２とＭＭＥ２０２との間のＳ１インタフェース＃２が喪失したものとする。
【００７７】
この場合、ステップＳ１１２において、ｅＮＢ１０−１は、ｅＮＢ１０−２に対して、Ｃｅｌｌ  Ｉｎｆｏｒｍａｔｉｏｎ  Ｒｅｑｕｅｓｔメッセージを送信する。ｅＮＢ１０−２は、Ｃｅｌｌ  Ｉｎｆｏｒｍａｔｉｏｎ  Ｒｅｑｕｅｓｔメッセージを受信する。
【００７８】
この時点において、Ｓ１インタフェース＃２は喪失している。また、ｅＮＢ１０−２は、ｅＮＢ１０−３とＭＭＥ２０２との間のＳ１インタフェース＃３が確立していることは認識していない。このため、ステップＳ１１３において、ｅＮＢ１０−２は、Ｒｅａｃｈ  ｔｏ  ＭＭＥ  ｎｕｍに「０」を設定したＣｅｌｌ  Ｉｎｆｏｒｍａｔｉｏｎ  Ｒｅｓｐｏｎｓｅメッセージを、ｅＮＢ１０−１へ送信する。ｅＮＢ１０−１は、Ｃｅｌｌ  Ｉｎｆｏｒｍａｔｉｏｎ  Ｒｅｓｐｏｎｓｅメッセージを受信する。しかし、Ｒｅａｃｈ  ｔｏ  ＭＭＥ  ｎｕｍが「０」であるため、ｅＮＢ１０−１は、トンネリング経路を設定することができない。
【００７９】
ステップＳ１１４において、ｅＮＢ１０−２は、ｅＮＢ１０−３に対して、Ｃｅｌｌ  Ｉｎｆｏｒｍａｔｉｏｎ  Ｒｅｑｕｅｓｔメッセージを送信する。ｅＮＢ１０−３は、Ｃｅｌｌ  Ｉｎｆｏｒｍａｔｉｏｎ  Ｒｅｑｕｅｓｔメッセージを受信する。
【００８０】
この時点において、Ｓ１インタフェース＃３は確立されている。このため、ステップＳ１１５において、ｅＮＢ１０−３は、Ｒｅａｃｈ  ｔｏ  ＭＭＥ  ｎｕｍに「１」を設定したＣｅｌｌ  Ｉｎｆｏｒｍａｔｉｏｎ  Ｒｅｓｐｏｎｓｅメッセージを、ｅＮＢ１０−２へ送信する。ｅＮＢ１０−２は、Ｃｅｌｌ  Ｉｎｆｏｒｍａｔｉｏｎ  Ｒｅｓｐｏｎｓｅメッセージを受信する。
【００８１】
Ｒｅａｃｈ  ｔｏ  ＭＭＥ  ｎｕｍが「１」であるため、ｅＮＢ１０−２は、ｅＮＢ１０−３を介してＭＭＥ２０２に接続可能であることを認識する。このため、ステップＳ１２０において、ｅＮＢ１０−２は、ｅＮＢ１０−３との間に、Ｘ２インタフェースにより構成されるトンネリング経路を設定する。
【００８２】
ステップＳ１２１において、ｅＮＢ１０−２は、ｅＮＢ１０−３に対して、Ｔｕｎｎｅｌｉｎｇ  Ｓ１  Ｓｅｔｕｐ  Ｒｅｑｕｅｓｔメッセージを送信する。ｅＮＢ１０−３は、Ｔｕｎｎｅｌｉｎｇ  Ｓ１  Ｓｅｔｕｐ  Ｒｅｑｕｅｓｔメッセージを受信する。
【００８３】
ステップＳ１２２において、ｅＮＢ１０−３は、ｅＮＢ１０−２に対して、Ｔｕｎｎｅｌｉｎｇ  Ｓ１  Ｓｅｔｕｐ  Ｒｅｓｐｏｎｓｅメッセージを送信する。ｅＮＢ１０−２は、Ｔｕｎｎｅｌｉｎｇ  Ｓ１  Ｓｅｔｕｐ  Ｒｅｓｐｏｎｓｅメッセージを受信する。
【００８４】
ｅＮＢ１０−１は、ステップＳ１１３において、Ｒｅａｃｈ  ｔｏ  ＭＭＥ  ｎｕｍが「０」であるＣｅｌｌ  Ｉｎｆｏｒｍａｔｉｏｎ  Ｒｅｓｐｏｎｓｅメッセージを受信してから所定時間経過後に、ステップＳ１２３において、再度、ｅＮＢ１０−２に対して、Ｃｅｌｌ  Ｉｎｆｏｒｍａｔｉｏｎ  Ｒｅｑｕｅｓｔメッセージを送信する。ｅＮＢ１０−２は、Ｃｅｌｌ  Ｉｎｆｏｒｍａｔｉｏｎ  Ｒｅｑｕｅｓｔメッセージを受信する。
【００８５】
この時点において、Ｓ１インタフェース＃２は喪失している。また、ｅＮＢ１０−２は、ステップＳ１１５において受信したＣｅｌｌ  Ｉｎｆｏｒｍａｔｉｏｎ  Ｒｅｓｐｏｎｓｅメッセージ内のＲｅａｃｈ  ｔｏ  ＭＭＥ  ｎｕｍ「１」により、ｅＮＢ１０−３とＭＭＥ２０２との間のＳ１インタフェース＃３が確立していることを認識している。このため、ステップＳ１２４において、ｅＮＢ１０−２は、Ｒｅａｃｈ  ｔｏ  ＭＭＥ  ｎｕｍに「２」を設定したＣｅｌｌ  Ｉｎｆｏｒｍａｔｉｏｎ  Ｒｅｓｐｏｎｓｅメッセージを、ｅＮＢ１０−１へ送信する。ｅＮＢ１０−１は、Ｃｅｌｌ  Ｉｎｆｏｒｍａｔｉｏｎ  Ｒｅｓｐｏｎｓｅメッセージを受信する。
【００８６】
Ｒｅａｃｈ  ｔｏ  ＭＭＥ  ｎｕｍが「２」であるため、ｅＮＢ１０−１は、ｅＮＢ１０−２と更に他の１のｅＮＢとを介してＭＭＥ２０２に接続可能であることを認識する。このため、ステップＳ１２５において、ｅＮＢ１０−１は、ｅＮＢ１０−２との間に、Ｘ２インタフェースにより構成されるトンネリング経路を設定する。
【００８７】
ステップＳ１２６において、ｅＮＢ１０−１は、ｅＮＢ１０−２に対して、Ｔｕｎｎｅｌｉｎｇ  Ｓ１  Ｓｅｔｕｐ  Ｒｅｑｕｅｓｔメッセージを送信する。ｅＮＢ１０−２は、Ｔｕｎｎｅｌｉｎｇ  Ｓ１  Ｓｅｔｕｐ  Ｒｅｑｕｅｓｔメッセージを受信する。
【００８８】
この時点において、Ｓ１インタフェース＃２は喪失している。このため、ステップＳ１２７において、ｅＮＢ１０−２は、ｅＮＢ１０−３に対して、Ｔｕｎｎｅｌｉｎｇ  Ｓ１  Ｓｅｔｕｐ  Ｒｅｑｕｅｓｔメッセージを送信する。ｅＮＢ１０−３は、Ｔｕｎｎｅｌｉｎｇ  Ｓ１  Ｓｅｔｕｐ  Ｒｅｑｕｅｓｔメッセージを受信する。
【００８９】
ステップＳ１２８において、ｅＮＢ１０−３は、ｅＮＢ１０−２に対して、Ｔｕｎｎｅｌｉｎｇ  Ｓ１  Ｓｅｔｕｐ  Ｒｅｓｐｏｎｓｅメッセージを送信する。ｅＮＢ１０−２は、Ｔｕｎｎｅｌｉｎｇ  Ｓ１  Ｓｅｔｕｐ  Ｒｅｓｐｏｎｓｅメッセージを受信する。
【００９０】
ステップＳ１２９において、ｅＮＢ１０−２は、ｅＮＢ１０−１に対して、Ｔｕｎｎｅｌｉｎｇ  Ｓ１  Ｓｅｔｕｐ  Ｒｅｓｐｏｎｓｅメッセージを送信する。ｅＮＢ１０−１は、Ｔｕｎｎｅｌｉｎｇ  Ｓ１  Ｓｅｔｕｐ  Ｒｅｓｐｏｎｓｅメッセージを受信する。
【００９１】
図１０は、通信システム１の第２の動作を示すシーケンス図である。
【００９２】
ステップＳ２０１乃至ステップＳ２０３において、ｅＮＢ１０−１、ｅＮＢ１０−２及びｅＮＢ１０−３は、ＭＭＥ２０２との間にＳ１インタフェースを確立する。
【００９３】
ステップＳ２０４乃至ステップＳ２０６において、ｅＮＢ１０−１、ｅＮＢ１０−２及びｅＮＢ１０−３は、相互にＳｅｔｕｐ  ＲｅｑｕｅｓｔメッセージとＳｅｔｕｐ  Ｒｅｓｐｏｎｓｅメッセージの送信及び受信を行う。これにより、ステップＳ２０７において、ｅＮＢ１０−１、ｅＮＢ１０−２及びｅＮＢ１０−３の相互間にＸ２インタフェースが確立される。
【００９４】
その後、ステップＳ２０９において、障害が発生し、ステップＳ２１１において、ｅＮＢ１０−１とＭＭＥ２０２との間のＳ１インタフェース＃１が喪失したものとする。
【００９５】
この場合、ステップＳ２１２において、ｅＮＢ１０−１は、ｅＮＢ１０−２に対して、Ｃｅｌｌ  Ｉｎｆｏｒｍａｔｉｏｎ  Ｒｅｑｕｅｓｔメッセージを送信する。ｅＮＢ１０−２は、Ｃｅｌｌ  Ｉｎｆｏｒｍａｔｉｏｎ  Ｒｅｑｕｅｓｔメッセージを受信する。
【００９６】
この時点において、Ｓ１インタフェース＃２は確立されている。このため、ステップＳ２１３において、ｅＮＢ１０−２は、Ｒｅａｃｈ  ｔｏ  ＭＭＥ  ｎｕｍに「１」を設定したＣｅｌｌ  Ｉｎｆｏｒｍａｔｉｏｎ  Ｒｅｓｐｏｎｓｅメッセージを、ｅＮＢ１０−１へ送信する。ｅＮＢ１０−１は、Ｃｅｌｌ  Ｉｎｆｏｒｍａｔｉｏｎ  Ｒｅｓｐｏｎｓｅメッセージを受信する。
【００９７】
また、ステップＳ２１４において、ｅＮＢ１０−１は、ｅＮＢ１０−３に対して、Ｃｅｌｌ  Ｉｎｆｏｒｍａｔｉｏｎ  Ｒｅｑｕｅｓｔメッセージを送信する。ｅＮＢ１０−３は、Ｃｅｌｌ  Ｉｎｆｏｒｍａｔｉｏｎ  Ｒｅｑｕｅｓｔメッセージを受信する。
【００９８】
この時点において、Ｓ１インタフェース＃３は確立されている。このため、ステップＳ２１５において、ｅＮＢ１０−３は、Ｒｅａｃｈ  ｔｏ  ＭＭＥ  ｎｕｍに「１」を設定したＣｅｌｌ  Ｉｎｆｏｒｍａｔｉｏｎ  Ｒｅｓｐｏｎｓｅメッセージを、ｅＮＢ１０−１へ送信する。ｅＮＢ１０−１は、Ｃｅｌｌ  Ｉｎｆｏｒｍａｔｉｏｎ  Ｒｅｓｐｏｎｓｅメッセージを受信する。
【００９９】
ｅＮＢ１０−１がステップＳ２１３及びステップＳ２１４において受信したＣｅｌｌ  Ｉｎｆｏｒｍａｔｉｏｎ  Ｒｅｓｐｏｎｓｅメッセージ内のＲｅａｃｈ  ｔｏ  ＭＭＥ  ｎｕｍは何れも「１」であり、優劣がつかない。このため、ｅＮＢ１０−１は、負荷状態に基づいて、トンネリング経路の設定の相手となるｅＮＢを決定する必要がある。
【０１００】
そこで、ステップＳ２１６において、ｅＮＢ１０−１は、ｅＮＢ１０−２に対して、Ｒｅｓｏｕｒｓｅ  Ｓｔａｔｕｓ  Ｒｅｑｕｅｓｔメッセージを送信する。ｅＮＢ１０−２は、Ｒｅｓｏｕｒｓｅ  Ｓｔａｔｕｓ  Ｒｅｑｕｅｓｔメッセージを受信する。
【０１０１】
ステップＳ２１７において、ｅＮＢ１０−２は、ｅＮＢ１０−１に対して、Ｒｅｓｏｕｒｓｅ  Ｓｔａｔｕｓ  Ｒｅｓｐｏｎｓｅメッセージを送信する。ｅＮＢ１０−１は、Ｒｅｓｏｕｒｓｅ  Ｓｔａｔｕｓ  Ｒｅｓｐｏｎｓｅメッセージを受信する。
【０１０２】
ステップＳ２１８において、ｅＮＢ１０−１は、ｅＮＢ１０−３に対して、Ｒｅｓｏｕｒｓｅ  Ｓｔａｔｕｓ  Ｒｅｑｕｅｓｔメッセージを送信する。ｅＮＢ１０−３は、Ｒｅｓｏｕｒｓｅ  Ｓｔａｔｕｓ  Ｒｅｑｕｅｓｔメッセージを受信する。
【０１０３】
ステップＳ２１９において、ｅＮＢ１０−３は、ｅＮＢ１０−１に対して、Ｒｅｓｏｕｒｓｅ  Ｓｔａｔｕｓ  Ｒｅｓｐｏｎｓｅメッセージを送信する。ｅＮＢ１０−１は、Ｒｅｓｏｕｒｓｅ  Ｓｔａｔｕｓ  Ｒｅｓｐｏｎｓｅメッセージを受信する。
【０１０４】
ステップＳ２２０において、ｅＮＢ１０−１は、Ｒｅｓｏｕｒｓｅ  Ｓｔａｔｕｓ  Ｒｅｓｐｏｎｓｅメッセージに基づいて、ｅＮＢ１０−２及びｅＮＢ１０−３の何れかを、トンネリング経路の設定の相手に決定する。ここでは、ｅＮＢ１０−３が決定される。更に、ｅＮＢ１０−１は、ｅＮＢ１０−３との間に、Ｘ２インタフェースにより構成されるトンネリング経路を設定する。
【０１０５】
ステップＳ２２１において、ｅＮＢ１０−１は、ｅＮＢ１０−３に対して、Ｔｕｎｎｅｌｉｎｇ  Ｓ１  Ｓｅｔｕｐ  Ｒｅｑｕｅｓｔメッセージを送信する。ｅＮＢ１０−３は、Ｔｕｎｎｅｌｉｎｇ  Ｓ１  Ｓｅｔｕｐ  Ｒｅｑｕｅｓｔメッセージを受信する。
【０１０６】
ステップＳ２２２において、ｅＮＢ１０−３は、ｅＮＢ１０−１に対して、Ｔｕｎｎｅｌｉｎｇ  Ｓ１  Ｓｅｔｕｐ  Ｒｅｓｐｏｎｓｅメッセージを送信する。ｅＮＢ１０−１は、Ｔｕｎｎｅｌｉｎｇ  Ｓ１  Ｓｅｔｕｐ  Ｒｅｓｐｏｎｓｅメッセージを受信する。
【０１０７】
（４）作用・効果
本実施形態に係る通信システム１において、ｅＮＢ１０−１は、当該ｅＮＢ１０−１とＭＭＥ２０２との間のＳ１インタフェース＃１が喪失して、当該Ｓ１インタフェース＃１を介して通信を行うことができなくなった場合には、ｅＮＢ１０−２等の他のｅＮＢとの間に、Ｘ２インタフェースにより構成されるトンネリング経路を設定する。更に、ｅＮＢ１０−１は、ＭＭＥ２０２宛の伝送用のデータに対し、カプセル化を行い、カプセル化データをトンネリング経路に送信する。従って、Ｓ１インタフェース＃１に障害が発生した場合においても、ｅＮＢ１０−１とＭＭＥ２０２との間の通信を維持できる。
【０１０８】
（５）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１０９】
上述した実施形態では、ｅＮＢがトンネリング経路の設定や伝送用データのカプセル化を行った。しかし、通信システム１における、ｅＮＢ以外の装置（例えば、ＭＭＥ２０２）が、トンネリング経路の設定や伝送用データのカプセル化を行うようにしてもよい。
【０１１０】
上述した実施形態では、ｅＮＢが、端末と直接通信を行うアクセスノードとなる場合について説明したが、リレーノード等の他の装置がアクセスノードとなる場合にも、同様に本発明を適用できる。
【０１１１】
上述した実施形態では、通信システム１は、ＬＴＥ技術を用いて構成されているが、他の通信技術を用いた通信システムにおいても、同様に本発明を適用できる。
【０１１２】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【０１１３】
１…通信システム、１０−１、１０−２、１０−３、１０−４…ｅＮＢ、１０２…制御部、１０３…記憶部、１０４…Ｉ／Ｆ部、１０６…無線通信部、１０８−１、１０８−２、１０８−３、１０８−４…アンテナタワー、２００…ＬＴＥインフラストラクチャ、２０２…ＭＭＥ、２０４…ＰＣＲＦ、２０６…Ｓ−ＧＷ、２０８…ＰＤＮ−ＧＷ
【図１】
2012114754.tif 000003
【図２】
2012114754.tif 000004
【図３】
2012114754.tif 000005
【図４】
2012114754.tif 000006
【図５】
2012114754.tif 000007
【図６】
2012114754.tif 000008
【図７】
2012114754.tif 000009
【図８】
2012114754.tif 000010
【図９】
2012114754.tif 000011
【図１０】
2012114754.tif 000012